【事件の表示】
　特願２０１２−１１９８１６号「パチンコ機」拒絶査定不服審判事件〔平成２４年　８月１６日出願公開、特開２０１２−１５２６５４号〕について、次のとおり審決する。
【結　論】
　本件審判の請求は、成り立たない。
【理　由】
第１　手続の経緯 
　本願は、平成１３年５月１４日に出願した特願２００１−１４３０５６号の一部を平成２３年２月２日に新たな特許出願である特願２０１１−２０９１６号とし、さらにこの特願２０１１−２０９１６号の一部を平成２４年５月２５日に新たな特許出願としたものであって、平成２５年６月２１日付で拒絶の理由が通知され、平成２５年８月２８日付けで意見書及び手続補正書が提出されたところ、平成２５年９月３０日付け（発送日：平成２５年１０月９日）で拒絶査定がなされ、これに対して、同年１２月１６日に拒絶査定不服審判の請求がなされるとともに、手続補正がなされたものである。
　一方、当審において平成２６月１２月２５日付けで拒絶の理由を通知し、これに対して、平成２７年２月１８日付けで意見書及び手続補正書が提出され、同年６月２３日付けで最後の拒絶の理由を通知し、これに対して、同年７月３１日付けで意見書及び手続補正書が提出されたところである。
第２　平成２７年７月３１日付けの手続補正についての補正却下の決定 
［補正却下の決定の結論］ 
　平成２７年７月３１日付けの手続補正（以下「本件補正」という。）を却下する。 
［理由］ 
１　補正の内容 
　本件補正は、平成２７年２月１８日付けの手続補正の特許請求の範囲の請求項１の記載を補正する内容を含んでおり、本件補正により、特許請求の範囲の請求項１は、
「【請求項１】
　遊技盤に設けられた普通図柄作動ゲートが遊技球を検出すると、前記遊技盤に設けられた普通図柄表示装置において、普通図柄が所定時間変動し、前記普通図柄が当たりの場合には、普通電動役物が開放可能な特別図柄始動口と、
　前記特別図柄始動口への入賞に基づいて図柄が所定時間変動する図柄表示装置と、　
　前記図柄表示装置の下方に傾斜状に配列された遊技釘群とが設けられたパチンコ機において、
　前記傾斜状に配列された遊技釘群は、
　前記遊技盤の中央にかけて下り傾斜状に、かつ、前記普通電動役物が開放可能な前記特別図柄始動口に遊技球を誘導する方向に配列され、その途中に遊技球を落下させる複数の隙間が設けられた第１の遊技釘群と、
　前記第１の遊技釘群の上方にあって、前記遊技盤の中央にかけて下り傾斜状に、かつ、前記普通電動役物が開放可能な前記特別図柄始動口に遊技球を誘導する方向に配列され、その途中に遊技球を落下させる複数の隙間が設けられた第２の遊技釘群とからなり、
　前記第２の遊技釘群の上部には、遊技球が流下する第２流路が形成され、
　前記第１の遊技釘群と前記第２の遊技釘群との間には、遊技球が流下する第１流路が形成され、
　前記図柄表示装置の側部には、遊技釘と風車とからなる遊技球振り分け部材が設けられ、
　前記遊技球振り分け部材によって振り分けられた遊技球の一部は、前記第１流路又は前記第２流路に振り分けられ、
　前記第２流路を流下する遊技球の一部は、前記特別図柄始動口へ誘導され、前記特別図柄始動口に入賞しなかった前記遊技球の一部は、前記第１の遊技釘群と前記遊技盤に取り付けられた遊技部品である大入賞口との間の領域へ誘導されることを特徴とするパチンコ機。」
から、
　平成２７年７月３１日付けの手続補正の特許請求の範囲の請求項１の
「【請求項１】
　遊技盤に設けられた普通図柄作動ゲートが遊技球を検出すると、前記遊技盤に設けられた普通図柄表示装置において、普通図柄が所定時間変動し、前記普通図柄が当たりの場合には、普通電動役物が開放可能な特別図柄始動口と、
　前記特別図柄始動口への入賞に基づいて図柄が所定時間変動する図柄表示装置と、
　前記図柄表示装置の下方に傾斜状に配列された遊技釘群とが設けられたパチンコ機において、
　前記傾斜状に配列された遊技釘群は、
　前記遊技盤の中央にかけて下り傾斜状に、かつ、前記普通電動役物が開放可能な前記特別図柄始動口に遊技球を誘導する方向に配列され、その途中に遊技球を落下させる複数の隙間が設けられた第１の遊技釘群と、
　前記第１の遊技釘群の上方にあって、前記遊技盤の中央にかけて下り傾斜状に、かつ、前記普通電動役物が開放可能な前記特別図柄始動口に遊技球を誘導する方向に配列され、その途中に遊技球を落下させる複数の隙間が設けられた第２の遊技釘群とからなり、
　前記第２の遊技釘群の上部には、遊技球が流下する第２流路が形成され、
　前記第１の遊技釘群と前記第２の遊技釘群との間には、遊技球が流下する第１流路が形成され、
　前記図柄表示装置の側部には、
第３流路に落下した遊技球が第４流路又は第５流路のいずれかに振り分けられる位置に設けられた遊技釘である第１の遊技球振り分け部材と、前記第１の遊技球振り分け部材の下方に設けられ、かつ、第６流路に落下した遊技球が第７流路又は第８流路のいずれかに振り分けられる位置に設けられた遊技釘である第２の遊技球振り分け部材と、前記第２の遊技球振り分け部材の下方に設けられ、かつ、第９流路に落下した遊技球が第１０流路又は第１１流路のいずれかに振り分けられる位置に設けられた風車である第３の遊技球振り分け部材と、
　
各
　前記第２流路を流下する遊技球の一部は、前記特別図柄始動口へ誘導され、前記特別図柄始動口に入賞しなかった前記遊技球の一部は、前記第１の遊技釘群と前記遊技盤に取り付けられた遊技部品である大入賞口との間の領域へ誘導されることを特徴とするパチンコ機。」
に補正された（下線は、補正箇所を明示するために当審で付した。）。
２　補正の適否　　 
（１）本件補正
　本件補正は、特許請求の範囲の請求項１の記載について、以下の補正事項を含むものである。
ア　補正前の請求項１における「前記図柄表示装置の側部には、遊技釘と風車とからなる遊技球振り分け部材が設けられ」という記載を、
「前記図柄表示装置の側部には、
第３流路に落下した遊技球が第４流路又は第５流路のいずれかに振り分けられる位置に設けられた遊技釘である第１の遊技球振り分け部材と、前記第１の遊技球振り分け部材の下方に設けられ、かつ、第６流路に落下した遊技球が第７流路又は第８流路のいずれかに振り分けられる位置に設けられた遊技釘である第２の遊技球振り分け部材と、前記第２の遊技球振り分け部材の下方に設けられ、かつ、第９流路に落下した遊技球が第１０流路又は第１１流路のいずれかに振り分けられる位置に設けられた風車である第３の遊技球振り分け部材と、
イ　補正前の請求項１における「前記遊技球振り分け部材」という記載を、
「
各
（２）補正の目的要件違反等についての検討
・補正事項ア、イについて
　補正事項アは、「遊技釘と風車とからなる遊技球振り分け部材」という記載を、「
第３流路に落下した遊技球が第４流路又は第５流路のいずれかに振り分けられる位置に設けられた遊技釘である第１の遊技球振り分け部材と、前記第１の遊技球振り分け部材の下方に設けられ、かつ、第６流路に落下した遊技球が第７流路又は第８流路のいずれかに振り分けられる位置に設けられた遊技釘である第２の遊技球振り分け部材と、前記第２の遊技球振り分け部材の下方に設けられ、かつ、第９流路に落下した遊技球が第１０流路又は第１１流路のいずれかに振り分けられる位置に設けられた風車である第３の遊技球振り分け部材
　また、補正事項イは、当該補正事項アによる「遊技球振り分け部材」を「第１の遊技球振り分け部材」、「第２の遊技球振り分け部材」及び「第３の遊技球振り分け部材」という複数の「遊技球振り分け部材」に限定することに伴ってなされた表現上の変更にすぎない。　
　また、補正後の請求項１に記載された発明は、補正前の請求項１に記載された発明と、産業上の利用分野及び解決しようとする課題が同一である。
　よって、本件補正は、特許法第１７条の２第５項第２号に規定する限定的減縮を目的とするものに該当する。 
　そして、本件補正は新規事項を追加するものではない。 
３　独立特許要件 
　平成２７年６月２３日付け最後の拒絶理由通知は、平成２６年１２月２５日付け最初の拒絶理由通知に対する応答時の補正によって通知することが必要になった拒絶の理由のみを通知する拒絶理由通知であるから、最後の拒絶理由通知とすることは妥当であった。 
　そこで、本件補正後の請求項１に記載された発明（以下「本願補正発明」という。）が特許出願の際独立して特許を受けることができるものであるか否か（特許法第１７条の２第６項において準用する同法第１２６条第７項の規定に適合するか）について以下に検討する。 
（１）刊行物１に記載された発明
　当審の拒絶の理由（平成２７年６月２３日付け最後の拒絶理由通知）に引用された本願の出願日前に頒布された特開２０００−３１７０８０号公報（以下「刊行物１」という。）には、図面と共に次の事項が記載されている（下線は当審で付した。以下同じ。）。 
（１−ａ）「【００１３】
【実施例】図１に示すように、弾球遊技機としての
パチンコ機１０
（１−ｂ）「【００１７】図２に示すように、
遊技盤３７に
遊技領域４２が形成され
この遊技領域４２のほぼ中央には特別図柄表示装置４３が配され
【００１８】
この特別図柄表示装置４３を取り囲むようにして、ランプ風車４５、ゲート４６、風車４７等が配され、特別図柄表示装置４３の直下には
特別図柄始動口となる普通電動役物４８が設置されている。また、普通電動役物４８の下方には、大入賞口５０、一対の普通入賞口５１
普通図柄表示装置５３
が設置されている
ゲート４６には普図センサ４６ａが装備され
【００１９】このパチンコ機１０では、
ゲート４６の普図センサ４６ａが遊技球の通過を検出すると、普通図柄表示装置５３において２桁の数字（００〜９９）が変動後に停止表示され、その停止した数字（普通図柄）が当たりの表示になると普通電動役物４８が開放される
（１−ｃ）「【００２１】
図２には一部のみ示すが、遊技盤３７には多数の障害釘５８が打ち付けられている
このパチンコ機１０に搭載されている特別図柄表示装置４３の液晶表示盤４３ａのサイズは６インチであるので、特別図柄表示装置４３の周囲を囲む枠体４４の寸法もそれに応じて大型となっている
【００２２】
遊技領域４２に撃ち込まれた遊技球の多くは（枠体４４のワープ樋を通る以外は）枠体４４の左右の通過領域５９ａ、５９ｂを通って落下する。ところが、枠体４４が大型化した分だけ通過領域５９ａ、５９ｂが侵食され
、遊技球は、遊技盤３７の左右寄りを通ることになる。すなわち、遊技盤３７の中央部に設置されている普通電動役物４８から遠い場所を落下することになる。このため、通過領域５９ａ、５９ｂを通った遊技球を何らかの手だてで普通電動役物４８側に誘導してやる必要がある。そのために、パチンコ機１０では図３に示す釘配置を採用している
（１−ｄ）「【００２４】
枠体４４の下方には、普通電動役物４８の左右斜め方向に、３本釘７０ａと４本釘７０ｂとからなる上案内釘列７０が設けられ、４本釘７０ｂと普通電動役物４８の間には２本の補助釘７１が打ち付けられている。なお、３本釘７０ａと４本釘７０ｂとの間及び４本釘７０ｂと補助釘７１との間には遊技球が通過可能な隙間が設けられている
上案内釘列７０の各釘の中心を結ぶ線（並び方向）は水平方向に対して２６度の角度に設定されている。また、補助釘７１の並び方向も上案内釘列７０の並び方向に沿っている
【００２５】このように
上案内釘列７０が設けられているので、３本釘７０ａ上に乗った遊技球は、４本釘７０ｂ→補助釘７１→普通電動役物４８と誘導される可能性が高い
上案内釘列７０の下方には、並び方向が水平方向に対して２３度
に設定された、下案内釘列７２が配されている
【００２６】この
下案内釘列７２上に乗った遊技球は、普通電動役物４８の開閉羽根４８ａが倒された際に（開放状態になった際に）、その倒れた開閉羽根４８ａ上に誘導される可能性が高い
【００２７】一方、ワープ入口６４に入らずに通過領域５９ａ、５９ｂを通った
遊技球は、例えば風車４７やその付近の障害釘５８によって誘導されて、上案内釘列７０上に乗れば、普通電動役物４８に向けて誘導されるので、普通電動役物４８に入賞する可能性が高まる
【００２８】また、
普通電動役物４８が開放状態になった際には、下案内釘列７２上に乗った遊技球が、倒れた開閉羽根４８ａ上に誘導される可能性が高い
普通電動役物４８に入賞しやすい
（１−ｅ）「【００５７】まず、
特別図柄の変動表示のきっかけとなる普通電動役物４８への始動入賞を受け付けるための始動記憶処理
この処理では、遊技制御装置１０７は、普通電動役物４８に入球（始動入賞）したか否かを始動口センサ１３４の検出信号に基づいて判断し（Ｓ１０１）、普通電動役物４８に入球した遊技球（始動入賞）が検出されていれば判定用乱数カウンタの判定値を読み取る（Ｓ１０２）
（１−ｆ）「【００６０】続いて、特図保留ＬＥＤ６１を１個消灯させて（Ｓ２０５）、
当たり外れの判定を行う（Ｓ２０６）
判定値があらかじめ決められている当たり値のいずれかと一致すれば当たりで、一致しなければ外れ
遊技制御装置１０７は、この当たり外れを実行する
【００６１】次に、
遊技制御装置１０７は、判定結果を表示するための図柄を決め（Ｓ２０７）、特別図柄表示装置４３に図柄変動開始のコマンドを送信する（Ｓ２０８）
（１−ｇ）前記（１−ｂ）の段落【００１７】〜【００１９】より、遊技盤３７に形成された遊技領域４２のほぼ中央に配された特別図柄表示装置４３を取り囲むようにして、ランプ風車４５、ゲート４６、風車４７等が配され、当該ゲート４６には普図センサ４６ａが装備されている。そして、当該ゲート４６の普図センサ４６ａが遊技球の通過を検出すると、普通図柄表示装置５３において２桁の数字（００〜９９）が変動後に停止表示され、その停止した数字（普通図柄）が当たりの表示になると普通電動役物４８が開放される。また、遊技盤３７に形成された遊技領域４２のほぼ中央に配された特別図柄表示装置４３の直下に設置された普通電動役物４８の下方には普通図柄表示装置５３が設置されている。
　さらに、前記（１−ｂ）の段落【００１８】より、特別図柄始動口は普通電動役物４８からなるものである。
　以上のことから、刊行物１には、「遊技盤３７に形成された遊技領域４２のほぼ中央に配された特別図柄表示装置４３を取り囲むようにランプ風車４５、ゲート４６、風車４７等が配され、当該ゲート４６に装備された普図センサ４６ａが遊技球の通過を検出すると、遊技盤３７に形成された遊技領域４２のほぼ中央に配された特別図柄表示装置４３の直下に設置された普通電動役物４８の下方に設置されている普通図柄表示装置５３において２桁の数字（００〜９９）が変動後に停止表示され、その停止した数字（普通図柄）が当たりの表示になると開放される普通電動役物４８からなる特別図柄始動口」が記載されている。
（１−ｈ）前記（１−ｅ）の記載及び【図９】より、特別図柄の変動表示は普通電動役物４８への始動入賞をきっかけとして行われ、この始動入賞を受け付けるための始動記憶処理において、遊技制御装置１０７は、普通電動役物４８に入球（始動入賞）したか否かを始動口センサ１３４の検出信号に基づいて判断し（Ｓ１０１）、普通電動役物４８に入球した遊技球（始動入賞）が検出されていれば判定用乱数カウンタの判定値を読み取り（Ｓ１０２）、さらに前記（１−ｆ）の記載及び【図１０】より、判定値があらかじめ決められている当たり値のいずれかと一致すれば当たりで、一致しなければ外れである当たり外れの判定を行い（Ｓ２０６）、判定結果を表示するための図柄を決め（Ｓ２０７）、特別図柄表示装置４３に図柄変動開始のコマンドを送信する（Ｓ２０８）ものである。そして、特別図柄表示装置４３がこの図柄変動開始のコマンドに基づいて特別図柄の変動表示を行うことは、明らかである。
　以上のことから、刊行物１には、「遊技制御装置１０７が、特別図柄始動口に入球（始動入賞）したか否かを始動口センサ１３４の検出信号に基づいて判断し（Ｓ１０１）、特別図柄始動口に入球した遊技球（始動入賞）が検出されていれば判定用乱数カウンタの判定値を読み取り（Ｓ１０２）、判定値による当たり外れの判定を行い（Ｓ２０６）、判定結果を表示するための図柄を決め（Ｓ２０７）、特別図柄表示装置４３に図柄変動開始のコマンドを送信し（Ｓ２０８）、この図柄変動開始のコマンドに基づいて特別図柄の変動表示を行う特別図柄表示装置４３」が記載されている。
　さらに、前記（１−ｃ）に、当該特別図柄表示装置４３は、大型の枠体４４に周囲を囲まれていることが記載されている。
（１−ｉ）前記（１−ｃ）、（１−ｄ）の記載及び【図３】より、枠体４４の下方には、普通電動役物４８の左右斜め方向に、各釘の中心を結ぶ線（並び方向）が水平方向に対して２６度の角度に設定されている３本釘７０ａと４本釘７０ｂとからなる上案内釘列７０と、上案内釘列７０の並び方向に沿っている２本の補助釘７１が設けられ、上案内釘列７０の下方には、並び方向が水平方向に対して２３度に設定された下案内釘列７２（前記（１−ｃ）の段落【００２２】より、これらの釘は、枠体４４が大型化した分だけ通過領域５９ａ、５９ｂが侵食されたために、遊技盤３７の中央部に設置されている普通電動役物４８から遠い場所を落下することになる遊技球を、普通電動役物４８側に誘導してやるために配置された釘であり、以下、これら「３本釘７０ａと４本釘７０ｂとからなる上案内釘列７０」と「２本の補助釘７１」と「下案内釘列７２」とを、まとめて「釘列群」という。）が配されていることが示されているものと認められる。
（１−ｊ）前記（１−ｄ）の段落【００２５】より、「３本釘７０ａと４本釘７０ｂとからなる上案内釘列７０」と「補助釘７１」とは、３本釘７０ａ上に乗った遊技球を、４本釘７０ｂ→補助釘７１→普通電動役物４８と誘導するための「上案内釘列群」を構成することが示されているものと認められる。
（１−ｋ）前記（１−ｂ）の段落【００１８】より、特別図柄表示装置４３を取り囲むようにして、ランプ風車４５、風車４７等が配されているから、風車４７の付近の障害釘５８も、ランプ風車４５、風車４７等とともに特別図柄表示装置４３を取り囲むようにして配されていることは明らかである。
　また、前記（１−ｄ）の段落【００２７】に、「遊技球は、例えば風車４７やその付近の障害釘５８によって誘導されて、上案内釘列７０上に乗れば、普通電動役物４８に向けて誘導されるので、普通電動役物４８に入賞する可能性が高まる」と記載されているから、刊行物１には、「特別図柄表示装置４３を取り囲むようにして、風車４７とその付近の障害釘５８とが配され、遊技球は、この風車４７やその付近の障害釘５８によって誘導されて、上案内釘列７０上に乗れば、普通電動役物４８に向けて誘導され、普通電動役物４８に入賞する可能性が高まること」が示されているものと認められる。
　上記の記載事項（１−ａ）〜（１−ｆ）及び認定事項（１−ｇ）〜（１−ｋ）を総合すると、刊行物１には、次の発明が記載されていると認められる（以下「引用発明１」という。）。 
「遊技盤３７に形成された遊技領域４２のほぼ中央に配された特別図柄表示装置４３を取り囲むようにランプ風車４５、ゲート４６、風車４７等が配され、当該ゲート４６に装備された普図センサ４６ａが遊技球の通過を検出すると、遊技盤３７に形成された遊技領域４２のほぼ中央に配された特別図柄表示装置４３の直下に設置された普通電動役物４８の下方に設置されている普通図柄表示装置５３において２桁の数字（００〜９９）が変動後に停止表示され、その停止した数字（普通図柄）が当たりの表示になると開放される普通電動役物４８からなる特別図柄始動口と、
　遊技制御装置１０７が、特別図柄始動口に入球（始動入賞）したか否かを始動口センサ１３４の検出信号に基づいて判断し（Ｓ１０１）、特別図柄始動口に入球した遊技球（始動入賞）が検出されていれば判定用乱数カウンタの判定値を読み取り（Ｓ１０２）、判定値による当たり外れの判定を行い（Ｓ２０６）、判定結果を表示するための図柄を決め（Ｓ２０７）、特別図柄表示装置４３に図柄変動開始のコマンドを送信し（Ｓ２０８）、この図柄変動開始のコマンドに基づいて特別図柄の変動表示を行うとともに、大型の枠体４４に周囲を囲まれている特別図柄表示装置４３と、
　枠体４４の下方には、普通電動役物４８の左右斜め方向に、各釘の中心を結ぶ線（並び方向）が水平方向に対して２６度の角度に設定されている３本釘７０ａと４本釘７０ｂとからなる上案内釘列７０と２本の補助釘７１が設けられ、上案内釘列７０の下方には、並び方向が水平方向に対して２３度に設定された下案内釘列７２（以下、これら「３本釘７０ａと４本釘７０ｂとからなる上案内釘列７０」と「２本の補助釘７１」と「下案内釘列７２」を、まとめて「釘列群」という。）が配されているパチンコ機において、
　前記釘列群について、
　下案内釘列７２上に乗った遊技球は、普通電動役物４８の開閉羽根４８ａが倒された際に（開放状態になった際に）、その倒れた開閉羽根４８ａ上に誘導される可能性が高く、
　３本釘７０ａ上に乗った遊技球は、４本釘７０ｂ→補助釘７１→普通電動役物４８と誘導される可能性が高く、
　３本釘７０ａと４本釘７０ｂとの間及び４本釘７０ｂと補助釘７１との間には遊技球が通過可能な隙間が設けられ、
  ３本釘７０ａと４本釘７０ｂとからなる上案内釘列７０と補助釘７１とは、上案内釘列群を構成しており、
　特別図柄表示装置４３を取り囲むようにして、風車４７とその付近の障害釘５８とが配され、遊技球は、この風車４７やその付近の障害釘５８によって誘導されて、上案内釘列７０上に乗れば、普通電動役物４８に向けて誘導され、普通電動役物４８に入賞する可能性が高まり、
　前記普通電動役物４８の下方に、大入賞口５０が設置されているパチンコ機。」
（２）刊行物２に記載された発明
　当審の拒絶の理由（平成２７年６月２３日付け最後の拒絶理由通知）に引用された本願の出願日前に頒布された特開平０９−１８２８３４号公報（以下「刊行物２」という。）には、図面と共に次の事項が記載されている（下線は当審で付した。以下同じ。）。
（２−ａ）「【０００１】【発明の属する技術分野】本発明は、遊技盤の遊技領域のほぼ中央に可変表示装置が配置されると共に、該可変表示装置の中央下方にその表示結果を導出することが可能な始動入賞口が配置され、さらに該始動入賞口の下方に可変入賞球装置が配置された
弾球遊技機に関するもの
【０００２】
【従来の技術】従来、図９に示すように、遊技盤１の外レール３と内レール４とに囲まれた遊技領域２のほぼ中央に可変表示装置５を配置し、その可変表示装置５の中央下方に可変表示装置５の可変表示動作を開始させその後表示結果を導出させるための始動入賞口１２を配置し、さらにその下方に可変表示装置５の表示結果が予め定めた特定表示結果となって特定遊技状態（大当り遊技状態とも言う）となったときに開放する可変入賞球装置１５を配置した弾球遊技機は、良く知られていた。
このような弾球遊技機においては、可変表示装置５が遊技領域２の中央の比較的大きな面積範囲を占めているので、可変表示装置５の下部両側方から始動入賞口１２及び可変入賞球装置１５に向けて打玉を誘導する１本の誘導釘群４３が傾斜状に植設され、可変表示装置５の両サイドを自然流下する打玉のうち比較的多くの打玉を始動入賞口１２方向へ誘導するようにしていた
（２−ｂ）「【００１７】遊技領域２に配置される遊技装置の主だったものは、上記のとおりであるが、上記以外に、入賞領域２の中程左右端にサイドランプ２２が配置され、
可変表示装置５の上部左右側方にランプ付風車２３が配置され
（２−ｃ）「【００２７】更に、上段誘導部材としての
上段誘導釘群２６の上方に、自然落下する打玉の落下方向を変換し得る落下方向変換部材としての風車４０を配置することにより、図６に示すように、上方から自然落下する打玉Ｐが風車４０（落下方向変換部材）に絡むと該打玉Ｐは、風車４０によってスムーズに流下方向を変化せしめられるので、打玉Ｐの上段誘導釘群２６及び下段誘導釘群２７へのスムーズな移行が行われ
（２−ｄ）前記（２−ｂ）の記載、【図１】及び【図６】より、ランプ付風車２３や風車４０が、可変表示装置５を取り囲むように配置されるものと認められる。
　上記の記載事項（２−ａ）〜（２−ｃ）及び認定事項（２−ｄ）を総合すると、刊行物２には、次の発明が記載されていると認められる（以下「引用発明２」という。）。 「ランプ付風車２３や風車４０が、可変表示装置５を取り囲むように配置された弾球遊技機であって、
　風車４０が、自然落下する打玉Ｐの流下方向を上段誘導釘群２６及び下段誘導釘群２７へ変化せしめる落下方向変換部材として配置された弾球遊技機。」
（３）対比
　本願補正発明と引用発明１とを対比する。 
ア　引用発明１の「遊技盤３７」、「ゲート４６」、「普通図柄表示装置５３」、「２桁の数字（００〜９９）」、「その停止した数字（普通図柄）が当たりの表示になる」こと、「普通電動役物４８」及び「特別図柄始動口」は、それぞれ、本願補正発明の「遊技盤」、「普通図柄作動ゲート」、「普通図柄表示装置」、「普通図柄」、「前記普通図柄が当たりの場合」、「普通電動役物」及び「特別図柄始動口」に相当する。
　よって、引用発明１の「遊技盤３７に形成された遊技領域４２のほぼ中央に配された特別図柄表示装置４３を取り囲むようにランプ風車４５、ゲート４６、風車４７等が配され、当該ゲート４６に装備された普図センサ４６ａが遊技球の通過を検出すると、遊技盤３７に形成された遊技領域４２のほぼ中央に配された特別図柄表示装置４３の直下に設置された普通電動役物４８の下方に設置されている普通図柄表示装置５３において２桁の数字（００〜９９）が変動後に停止表示され、その停止した数字（普通図柄）が当たりの表示になると開放される普通電動役物４８からなる特別図柄始動口」は、本願補正発明の「遊技盤に設けられた普通図柄作動ゲートが遊技球を検出すると、前記遊技盤に設けられた普通図柄表示装置において、普通図柄が所定時間変動し、前記普通図柄が当たりの場合には、普通電動役物が開放可能な特別図柄始動口」に相当する。
イ　引用発明１の「特別図柄始動口に入球した遊技球（始動入賞）が検出されてい」ること及び「特別図柄の変動表示を行う」ことは、それぞれ、本願補正発明の「特別図柄始動口への入賞」すること及び「図柄が所定時間変動する」ことに相当する。
　よって、引用発明１の「遊技制御装置１０７が、特別図柄始動口に入球（始動入賞）したか否かを始動口センサ１３４の検出信号に基づいて判断し（Ｓ１０１）、特別図柄始動口に入球した遊技球（始動入賞）が検出されていれば判定用乱数カウンタの判定値を読み取り（Ｓ１０２）、判定値による当たり外れの判定を行い（Ｓ２０６）、判定結果を表示するための図柄を決め（Ｓ２０７）、特別図柄表示装置４３に図柄変動開始のコマンドを送信し（Ｓ２０８）、この図柄変動開始のコマンドに基づいて特別図柄の変動表示を行う特別図柄表示装置４３」は、本願補正発明の「前記特別図柄始動口への入賞に基づいて図柄が所定時間変動する図柄表示装置」に相当する。
  
ウ　引用発明１の「枠体４４」は「特別図柄表示装置４３」の周囲を囲むものであるから、「枠体４４」の下方は、「特別図柄表示装置４３」の下方であることは明らかである。
　また、引用発明１の「各釘の中心を結ぶ線（並び方向）が水平方向に対して２６度の角度に設定されている」こと及び「並び方向が水平方向に対して２３度に設定され」ていることは、いずれも、本願補正発明の「傾斜状に配列され」ていることに相当する。
　よって、前記イより、引用発明１の「枠体４４の下方」に設けられた「釘列群」は、本願補正発明の「前記図柄表示装置の下方に傾斜状に配列された遊技釘群」に相当する。
エ　引用発明１の「下案内釘列７２」は、並び方向が水平方向に対して２３度に設定され、「下案内釘列７２上に乗った遊技球」は、遊技領域４２のほぼ中央に配された特別図柄表示装置４３の直下に設置され、特別始動口となる「普通電動役物４８の開閉羽根４８ａが倒された際に（開放状態になった際に）、その倒れた開閉羽根４８ａ上に誘導される可能性が高」いことから、本願補正発明と同様に「遊技盤の中央にかけて下り傾斜状」であることは明らかである。
　また、引用発明１の「遊技球は、普通電動役物４８の開閉羽根４８ａが倒された際に（開放状態になった際に）、その倒れた開閉羽根４８ａ上に誘導される」ことは、本願補正発明の「前記普通電動役物が開放可能な前記特別図柄始動口に遊技球を誘導する」ことに相当する。
　そうすると、引用発明１の「下案内釘列７２」は、本願補正発明と「前記遊技盤の中央にかけて下り傾斜状に、かつ、前記普通電動役物が開放可能な前記特別図柄始動口に遊技球を誘導する方向に配列され」た「第１の遊技釘群」に相当する構成を有する点で共通している。
オ　引用発明１の「上案内釘列７０の下方」には「下案内釘列７２」が配されているから、「上案内釘列７０」が「下案内釘列７２」の上方にあることは明らかである。
　また、引用発明１の「上案内釘列７０と補助釘７１」とからなる「上案内釘列群」は、各釘の中心を結ぶ線（並び方向）が水平方向に対して２６度の角度に設定され、「３本釘７０ａ上に乗った遊技球」は、４本釘７０ｂ→補助釘７１→普通電動役物４８と誘導される可能性が高」いことから、本願補正発明と同様に「遊技盤の中央にかけて下り傾斜状」であることは明らかである。
　さらに、引用発明１の「遊技球は、４本釘７０ｂ→補助釘７１→普通電動役物４８と誘導される」ことは、本願補正発明の「前記普通電動役物が開放可能な前記特別図柄始動口に遊技球を誘導する」ことに相当する。
　加えて、引用発明１の「３本釘７０ａと４本釘７０ｂとの間及び４本釘７０ｂと補助釘７１との間には遊技球が通過可能な隙間が設けられ」ることは、本願補正発明の「その途中に遊技球を落下させる複数の隙間が設けられ」ることに相当する。
　以上のことから、引用発明１の「上案内釘列群」は、本願補正発明の「前記第１の遊技釘群の上方にあって、前記遊技盤の中央にかけて下り傾斜状に、かつ、前記普通電動役物が開放可能な前記特別図柄始動口に遊技球を誘導する方向に配列され、その途中に遊技球を落下させる複数の隙間が設けられた第２の遊技釘群」に相当する。
カ　前記オより、引用発明１の「３本釘７０ａ上に乗った遊技球は、４本釘７０ｂ→補助釘７１→普通電動役物４８と誘導される可能性が高」い流路は、本願補正発明の「前記第２の遊技釘群の上部」に形成された「遊技球が流下する第２流路」に相当する。
キ　前記エ及びオより、引用発明１の「下案内釘列７２」が、「遊技球」を「倒れた開閉羽根４８ａ上に誘導する可能性が高い」流路は、本願補正発明の「前記第１の遊技釘群と前記第２の遊技釘群との間」に形成された「遊技球が流下する第１流路」に相当する。
ク　引用発明１の「風車４７」及び「障害釘５８」は、それぞれ、本願補正発明の「風車」及び「遊技釘」に相当する。そして、特別図柄表示装置４３（図柄表示装置）の側部に設けられることは、特別図柄表示装置４３（図柄表示装置）周囲に設けられることの一態様である。
　そうすると、引用発明１の「特別図柄表示装置４３を取り囲むようにして、風車４７と障害釘５８とが配され」る点は、本願補正発明と「前記図柄表示装置の周囲には、遊技釘と、風車と、が設けられる」点で共通している。
ケ　引用発明１は「遊技球は、この風車４７やその付近の障害釘５８によって誘導されて、上案内釘列７０上に乗れば、普通電動役物４８に向けて誘導され、普通電動役物４８に入賞する可能性が高ま」るものであるから、遊技球の一部が、「風車４７やその付近の障害釘５８」によって「上案内釘列７０上」 （第２の遊技釘群の上）に振り分けられることは明らかである。
　そうすると、引用発明１の「遊技球は、この風車４７やその付近の障害釘５８によって誘導されて、上案内釘列７０上に乗れば、普通電動役物４８に向けて誘導され、普通電動役物４８に入賞する可能性が高まる」ことと本願補正発明の「各遊技球振り分け部材によって振り分けられた遊技球の一部は、前記第１流路又は前記第２流路に振り分けられ」ることとは、「遊技釘と風車によって、遊技球の一部は、前記第２流路に誘導され」る点で共通している。
コ　引用発明１の「大入賞口５０」は、本願補正発明の「遊技部品である大入賞口」に相当する。
　また、引用発明１では「３本釘７０ａ上に乗った遊技球は、４本釘７０ｂ→補助釘７１→普通電動役物４８と誘導される可能性が高」いから、「遊技球」の一部が、普通電動役物４８からなる「特別図柄始動口」へと誘導されるものといえる。
　また、引用発明１では「３本釘７０ａと４本釘７０ｂとの間及び４本釘７０ｂと補助釘７１との間には遊技球が通過可能な隙間が設けれら」ているから、「前記３本釘７０ａ、４本釘７０ｂ及び補助釘７１の上に乗った遊技球」で前記「特別図柄始動口」へ誘導されなかった「遊技球」の一部は、当該「隙間」から下方に配された「下案内釘列７２」の上に乗る可能性があることは明らかである。そして、「下案内釘列７２上に乗った遊技球は、普通電動役物４８の開閉羽根４８ａが倒された際に（開放状態になった際に）、その倒れた開閉羽根４８ａ上に誘導される可能性が高」いものである。
　したがって、「遊技球」の一部が「特別図柄始動口」へと誘導されずに、当該「下案内釘列７２」（第１の遊技釘群）と「普通電動役物４８の下方」に設置された「大入賞口５０」（大入賞口）との間の領域に誘導されるものといえる。
　よって、引用発明１の「３本釘７０ａ上に乗った遊技球」の一部が、「４本釘７０ｂ→補助釘７１→普通電動役物４８と誘導」され、普通電動役物４８からなる「特別図柄始動口」へ誘導されなかった「遊技球」の一部が、「下案内釘列７２」と「大入賞口５０」との間の領域に誘導されることは、本願補正発明の「前記第２流路を流下する遊技球の一部は、前記特別図柄始動口へ誘導され、前記特別図柄始動口に入賞しなかった前記遊技球の一部は、前記第１の遊技釘群と前記遊技盤に取り付けられた遊技部品である大入賞口との間の領域へ誘導される」ことに相当する。
　上記ア〜コより、本願補正発明と引用発明１とを比較すると、両者は、
［一致点］
「遊技盤に設けられた普通図柄作動ゲートが遊技球を検出すると、前記遊技盤に設けられた普通図柄表示装置において、普通図柄が所定時間変動し、前記普通図柄が当たりの場合には、普通電動役物が開放可能な特別図柄始動口と、
　前記特別図柄始動口への入賞に基づいて図柄が所定時間変動する図柄表示装置と、
　前記図柄表示装置の下方に傾斜状に配列された遊技釘群とが設けられたパチンコ機において、
　前記傾斜状に配列された遊技釘群は、
　前記遊技盤の中央にかけて下り傾斜状に、かつ、前記普通電動役物が開放可能な前記特別図柄始動口に遊技球を誘導する方向に配列された第１の遊技釘群と、
　前記第１の遊技釘群の上方にあって、前記遊技盤の中央にかけて下り傾斜状に、かつ、前記普通電動役物が開放可能な前記特別図柄始動口に遊技球を誘導する方向に配列され、その途中に遊技球を落下させる複数の隙間が設けられた第２の遊技釘群とからなり、
　前記第２の遊技釘群の上部には、遊技球が流下する第２流路が形成され、
　前記第１の遊技釘群と前記第２の遊技釘群との間には、遊技球が流下する第１流路が形成され、
　前記図柄表示装置の周囲には、遊技釘と、風車と、が設けられ、
　遊技釘と風車によって、遊技球の一部は、前記第２流路に誘導され、
　前記第２流路を流下する遊技球の一部は、前記特別図柄始動口へ誘導され、前記特別図柄始動口に入賞しなかった前記遊技球の一部は、前記第１の遊技釘群と前記遊技盤に取り付けられた遊技部品である大入賞口との間の領域へ誘導されるパチンコ機。」
である点で一致し、以下の点で相違する。
［相違点１］
　第１の遊技釘群に関して、本願補正発明では、「その途中に遊技球を落下させる複数の隙間が設けられ」ているのに対して、引用発明１では、そのような特定がなされていない点。
［相違点２］
　図柄表示装置の周囲に設けられた遊技釘と風車に関して、本願補正発明では、「図柄表示装置の側部」に設けられた「第３流路に落下した遊技球が第４流路又は第５流路のいずれかに振り分けられる位置に設けられた遊技釘である第１の遊技球振り分け部材と、前記第１の遊技球振り分け部材の下方に設けられ、かつ、第６流路に落下した遊技球が第７流路又は第８流路のいずれかに振り分けられる位置に設けられた遊技釘である第２の遊技球振り分け部材と、前記第２の遊技球振り分け部材の下方に設けられ、かつ、第９流路に落下した遊技球が第１０流路又は第１１流路のいずれかに振り分けられる位置に設けられた風車である第３の遊技球振り分け部材」であるのに対して、引用発明１では、特別図柄表示装置４３を取り囲むようにランプ風車４５、風車４７等が配されているが、そのような特定がなされていない点。
［相違点３］
　本願補正発明では、「各遊技球振り分け部材によって振り分けられた遊技球の一部は、第１流路又は第２流路に振り分けられ」るのに対し、引用発明１では、風車４７やその付近の障害釘５８によって、遊技球の一部は、第２流路に誘導されるが、第１流路（下案内釘列７２の上の流路）に誘導されるのか明らかでないため、第１流路又は第２流路に振り分けられるの否か不明である点。
（４）判断
　上記各相違点について検討する。
ア　［相違点１］について
　遊技機の技術分野において、２つの傾斜状の遊技釘群の下側の遊技釘群であって、通過口（ゲート）に遊技球を誘導したり、単に下方に遊技球を落下させる複数の隙間を有する遊技釘群を配置することは、本願の遡及日前の周知の技術事項（例えば、特開２０００−３５０８５０号公報（以下「刊行物３」という。）の【００３０】、【図２】には、ゲート３５ｂと３５ｃに遊技球を誘導したり、単に下方に遊技球を落下させる隙間を有する遊技釘群について記載され、特開２００１−１１３００５号公報（以下「刊行物４」という。）の【図１】には、単に下方に遊技球を落下させる遊技釘群について記載されている。以下「周知技術１」という。）である（これら刊行物３及び刊行物４で示される隙間がパチンコ球が落下する程度の幅であることは、当業者にとって自明である。）。
　そして、刊行物１の段落【００１８】、【図２】〜【図４】より、下案内釘列７２の下方に普通入賞口５１が配置されていることが示されている。
　一方、本願補正発明において、隙間は  普通図柄作動ゲート１０ａに遊技球を落下させたり、単に下方に遊技球を落下させるためのものである（段落【００２０】）。
　そうすると、引用発明１の「第１の遊技釘群」に対して、上記周知技術１を適用し、普通入賞口５１に遊技球を誘導したり、下案内釘列７２の下方領域に遊技球を案内したりすることにより、上記相違点１に係る本願補正発明の構成とすることは、当業者が必要に応じてなし得たものである。
  　
イ　［相違点２］について
　刊行物１の段落【００２１】、【００２２】には、「このパチンコ機１０に搭載されている特別図柄表示装置４３の液晶表示盤４３ａのサイズは６インチであるので、特別図柄表示装置４３の周囲を囲む枠体４４の寸法もそれに応じて大型となっている」こと及び「遊技領域４２に撃ち込まれた遊技球の多くは（枠体４４のワープ樋を通る以外は）枠体４４の左右の通過領域５９ａ、５９ｂを通って落下する。ところが、枠体４４が大型化した分だけ通過領域５９ａ、５９ｂが侵食され」ることが記載されている。したがって、刊行物１には、特別図柄表示装置４３が大型化したことによって、遊技球の通過領域５９ａ、５９ｂが左右寄りとなって遊技領域が減少することの問題点が指摘されている。
　一方、図柄表示装置の大型化により遊技領域が狭くなり、遊技球の流下方向に影響を与える障害釘や風車などが減少し、遊技球の流下の面白さが減少してしまうという課題は、本願の遡及日前に周知の課題（例えば、特開平０７−２５０９５４号公報（以下「刊行物５」という。）の段落【０００５】、特開平１１−２７６６７１号公報（以下「刊行物６」という。）の段落【０００２】、特開２０００−２２９１５１号公報（以下「刊行物７」という。）の段落【０００２】参照。以下「周知の課題」という。）である。
　これらのことからみて、引用発明１においても、このような周知の課題を内在しているといえる。
　他方で、表示装置の大型化に伴い、表示装置の側部を通過する遊技球の遊技領域が狭くなったにもかかわらず、遊技球の変化を多岐にわたらせるために、大型化した図柄表示装置の側部に、遊技球が複数の流路のいずれかに振り分けられる位置に設けられた第１の遊技釘と、前記第１の遊技釘の下方に設けられ、かつ、遊技球が複数の流路のいずれかに振り分けられる位置に設けられた第２の遊技釘と、前記第２の遊技釘の下方に設けられ、かつ、遊技球が複数の流路のいずれかに振り分けられる位置に設けられた風車を設ける構成は、本願の遡及日前に周知の技術事項（例えば、上記刊行物５の段落【０００５】、【図１】を参照。特に、段落【０００５】には画像表示部が大型であることが記載され、以下に示した当該【図１】に付した障害柱２８（１）が本願補正発明の「遊技釘である第１の遊技球振り分け部材」に相当し、障害柱２８（２）が本願補正発明の「遊技釘である第２の遊技球振り分け部材」に相当し、風車２９が本願補正発明の「風車である第３の遊技球振り分け部材」に相当する。なお、段落【００２９】には、障害柱２９が障害釘でもよい旨が記載されている。また、パチプロ必勝本　１９９９ＡＰＲ．４，辰巳出版株式会社，１９９９年４月１日，第４頁（以下「刊行物８」という。）を参照。特に、以下に示した当該第４頁における、ＣＲ海物語Ｓ５の遊技盤上のワイド画面である液晶デジタルの側部にある釘ａ（１）が本願補正発明の「遊技釘である第１の遊技球振り分け部材」に相当し、釘ａ（２）が本願補正発明の「遊技釘である第２の遊技球振り分け部材」に相当し、風車ｂが本願補正発明の「風車である第３の遊技球振り分け部材」に相当する。さらに、刊行物３の【図２】を参照。特に、当該刊行物３のパチンコ機では、【図２】に見られるように、引用発明１と同じように、特別図柄表示装置１８により通過領域が侵食された遊技球を、遊技盤の中央部に設置されている始動口側に誘導するための釘配置が採用されているから、特別図柄表示装置１８が大型であることが推察される。そして、以下に示した当該【図２】に付した釘ｃ（１）が本願補正発明の「遊技釘である第１の遊技球振り分け部材」に相当し、釘ｃ（２）が本願補正発明の「遊技釘である第２の遊技球振り分け部材」に相当し、風車２８が本願補正発明の「風車である第３の遊技球振り分け部材」に相当する。以下「周知技術２」という。）である。
　そうすると、大型の枠体４４を備えた特別図柄表示装置４３を有しており、特別図柄表示装置４３を取り囲むようにして、ランプ風車４５、風車４７が配置され、さらに風車４７の付近に障害釘５８が配置された引用発明１において、狭くなった遊技領域における遊技球の変化を多岐にわたらせるために、前記風車４８およびその付近の障害釘５８に置き換えて、上記周知技術２を適用し、前記相違点２に係る本願補正発明の構成とすることは、当業者であれば容易に想到し得たことである。
・刊行物５の【図１】
・刊行物８：パチプロ必勝本　１９９９ＡＰＲ．４の第４頁
・刊行物３の【図２】
ウ　［相違点３］について
　前記３（２）で述べたとおり、引用発明２は「ランプ付風車２３や風車４０が、可変表示装置５を取り囲むように配置された弾球遊技機であって、
　風車４０が、自然落下する打玉Ｐの流下方向を上段誘導釘群２６及び下段誘導釘群２７へ変化せしめる落下方向変換部材として配置された弾球遊技機。」である。すなわち、引用発明２は、風車４０により振り分けられた遊技球の一部は、上段誘導釘群２６及び下段誘導釘群２７に振り分けられるものである。
　そして、刊行物２の段落【０００２】には、従来の技術として「このような弾球遊技機においては、可変表示装置５が遊技領域２の中央の比較的大きな面積範囲を占めているので、可変表示装置５の下部両側方から始動入賞口１２及び可変入賞球装置１５に向けて打玉を誘導する１本の誘導釘群４３が傾斜状に植設され、可変表示装置５の両サイドを自然流下する打玉のうち比較的多くの打玉を始動入賞口１２方向へ誘導するようにしていた」ことが記載されている。したがって、引用発明２においても、引用発明１と同様に、表示装置が大型化したことによる課題を内在しているといえる。
　また、引用発明１、２の風車（引用発明１の「風車４７」、引用発明２の「風車４０」）は、ランプ風車と共に、表示装置を取り囲むように配置されている点で共通するとともに、始動入賞口に向けて２列に傾斜配置された釘群のうちの上方に配置された釘群である第２の遊技釘群（引用発明２の「上段誘導釘群２６」）の上方に配置されている点で共通するものである。
　したがって、表示装置の大型化によって遊技領域が狭くなった引用発明１において、遊技釘と風車によって遊技球を誘導するにあたり、大型化した表示装置を有する当該引用発明２の落下方向変換部材（遊技球振り分け部材）を適用し、遊技球の一部を第２の遊技釘群に加えて第１の遊技釘群上にも誘導可能となるように構成し、上記相違点３に係る本願補正発明の構成とすることは、当業者であれば容易に想到し得たことである。
エ　本願補正発明の奏する効果について
　本願発明１が奏する作用効果は、引用発明１、２及び周知技術１、２に基づいて、当業者が予測できる範囲内のものである。
オ　まとめ
　以上のことから、本願発明１は、引用発明１、２及び周知技術１、２に基づいて、当業者が容易に発明をすることができたものであるから、特許法第２９条第２項の規定により特許出願の際独立して特許を受けることができない。
 
（５）補正却下の決定についてのむすび 
　よって、本件補正は、特許法第１７条の２第６項において準用する同法第１２６条第７項の規定に違反するので、同法第１５９条第１項において読み替えて準用する同法第５３条第１項の規定により却下すべきものである。 
第３　本願発明について 
１　本願発明
　本件補正は上記のとおり却下されたので、本願の請求項１に係る発明（以下「本願発明」という。）は、平成２７年２月１８日付けの手続補正書により補正された特許請求の範囲に記載された事項により特定される次のとおりのものである。 
「【請求項１】
　遊技盤に設けられた普通図柄作動ゲートが遊技球を検出すると、前記遊技盤に設けられた普通図柄表示装置において、普通図柄が所定時間変動し、前記普通図柄が当たりの場合には、普通電動役物が開放可能な特別図柄始動口と、
　前記特別図柄始動口への入賞に基づいて図柄が所定時間変動する図柄表示装置と、
　前記図柄表示装置の下方に傾斜状に配列された遊技釘群とが設けられたパチンコ機において、
　前記傾斜状に配列された遊技釘群は、
　前記遊技盤の中央にかけて下り傾斜状に、かつ、前記普通電動役物が開放可能な前記特別図柄始動口に遊技球を誘導する方向に配列され、その途中に遊技球を落下させる複数の隙間が設けられた第１の遊技釘群と、
　前記第１の遊技釘群の上方にあって、前記遊技盤の中央にかけて下り傾斜状に、かつ、前記普通電動役物が開放可能な前記特別図柄始動口に遊技球を誘導する方向に配列され、その途中に遊技球を落下させる複数の隙間が設けられた第２の遊技釘群とからなり、
　前記第２の遊技釘群の上部には、遊技球が流下する第２流路が形成され、
　前記第１の遊技釘群と前記第２の遊技釘群との間には、遊技球が流下する第１流路が形成され、
　前記図柄表示装置の側部には、遊技釘と風車とからなる遊技球振り分け部材が設けられ、
　前記遊技球振り分け部材によって振り分けられた遊技球の一部は、前記第１流路又は前記第２流路に振り分けられ、
　前記第２流路を流下する遊技球の一部は、前記特別図柄始動口へ誘導され、前記特別図柄始動口に入賞しなかった前記遊技球の一部は、前記第１の遊技釘群と前記遊技盤に取り付けられた遊技部品である大入賞口との間の領域へ誘導されることを特徴とするパチンコ機。」
２　刊行物１，２ 
　刊行物１及び刊行物２の記載事項並びに引用発明１及び引用発明２は、上記「第２　３（１）」及び「第２　３（２）」に記載したとおりでありである。 
３　対比・判断 
　本願発明は、上記「第２　２」で検討した本願補正発明から、実質的な変更とならない特定事項を除き、「遊技釘」である「遊技球振り分け部材」について、「第３流路に落下した遊技球が第４流路又は第５流路のいずれかに振り分けられる位置に設けられた」という限定及び「前記第１の遊技球振り分け部材の下方に設けられ、かつ、第６流路に落下した遊技球が第７流路又は第８流路のいずれかに振り分けられる位置に設けられた」という限定、「風車」である「遊技球振り分け部材」について、「第９流路に落下した遊技球が第１０流路又は第１１流路のいずれかに振り分けられる位置に設けられた」という限定を付加した部分を削除したものである。よって、本願発明と引用発明１とを比較すると、両者は、上記「第２　３（３）」に記載した相違点１及び３でのみ相違している。
　そうすると、本願発明と引用発明１とを対比したときの相違点は、上記「第２　３（３）」に記載した相違点１及び３と同様のものになるから、上記「第２　３（４）」において検討したとおり、本願発明は、引用発明１、引用発明２及び周知技術１に基づいて、当業者が容易に発明をすることができたものである。
　なお、上記「第２　３（３）」に記載した相違点１及び３は、平成２７年６月２３日付けの最後の拒絶の理由で指摘した相違点１及び２と実質的に同じものである。
４　むすび 
　以上のとおりであるから、本願発明は、特許法第２９条第２項の規定により特許を受けることができない。 
　したがって、本願は拒絶すべきである。　 
　よって、結論のとおり審決する。